(57)【要約】【課題】  使い勝手を悪くすることなく電力消費を抑える。【解決手段】  電子楽器の奏者又は電子楽器の所定の操作位置に操作者が存在するか否かの検出結果に応じて、搭載した少なくとも演奏機能を含む全ての機能のうち、その一部の機能に対する主電源からの電力供給の制御を行う。主電源は搭載した全ての機能に対して電力を供給するが、搭載した全ての機能に対して主電源からの電力の供給の開始及び停止は電源スイッチの操作に応じて指示される。主電源からの電力の供給の開始が指示された後に、現在奏者又は操作者が存在するか否かを検出し、その検出結果に応じて全ての機能のうちの一部機能に対する主電源からの電力供給を制御する。このようにして、一部機能について部分的にスタンバイ状態に設定あるいはスタンバイ状態から復帰させることによって、使い勝手を悪くすることなく電力消費を抑えて省エネを図ることができるようになる。【選択図】        図４
2006091306.tif 000002
【特許請求の範囲】
【請求項１】
少なくとも演奏機能を含む多数の機能を搭載する電子楽器であって、
電力を供給する主電源と、
搭載した全ての機能に対して前記主電源からの電力の供給の開始及び停止を指示する電源スイッチと、
前記電子楽器の奏者又は前記電子楽器の所定の操作位置に操作者が存在するか否かを検知する検知手段と、
前記検知手段からの検知結果に応じて、前記搭載した全ての機能のうち、その一部の機能に対する前記主電源からの電力供給の制御を行う制御手段と
を具えた電子楽器。
【請求項２】
前記制御手段は、前記主電源からの電力供給の制御を行うことによって、一部の機能について機能毎にスタンバイ状態に設定する、あるいはスタンバイ状態から復帰させることを特徴とする請求項１に記載の電子楽器。
【請求項３】
照明装置と、明るさを検出する検出手段とを具えてなり、
前記制御手段は、前記検知手段及び前記検出手段の両結果に応じて、前記照明装置に対する前記主電源からの電力供給の制御及び／又は前記照明装置における照度を制御することを特徴とする請求項１又は２に記載の電子楽器。
【発明の詳細な説明】
【技術分野】
【０００１】
この発明は、少なくとも演奏機能を含む多数の機能を有する電子楽器に関する。特に、前記多数の機能を実現する各機器に対する電源からの電力供給の開始／停止を、必要に応じて各機器毎に自動制御することで、使い勝手を悪くすることなく電力消費を抑えることのできるようにした電子楽器に関する。
【背景技術】
【０００２】
一般的に、電子楽器においてはその有する例えば演奏機能や表示機能あるいは照明機能などの多数の各種機能を動作させるために、当該電子楽器が搭載している前記多数の機能を実現する各機器に対して、常に主電源から電力供給されていることが必要とされる。こうした主電源からの電力供給の開始／停止を行うためには、ユーザ自らによる所定の電源スイッチのオン／オフ操作が必須である。ところで、電子楽器の使用を終了した場合や使用を一時中断した場合などにおいては電源スイッチのオフ操作のし忘れが特に子供が使用している際に多く生じており、こうした場合には電子楽器の各種機能が使用されていないにもかかわらず電力消費され続けてしまい電気代がかかる、といった無駄が生ずる。そこで、最近では、ユーザ自らが意識して所定の電源スイッチをオン／オフ操作しなくても、主電源からの電力供給を開始又は停止する機能を具えた電子楽器が知られている。こうしたものの一例を挙げると、例えば下記に示す特許文献１又は２に記載の電子楽器がある。これらに記載された電子楽器においては蓋の開け閉めに応じて自動的に主電源をオン／オフするよう制御する機能が具備されており、ユーザは電子楽器の蓋の開け閉めを行うだけで、特に意識せずとも電子楽器の電源オン（主電源からの電力供給の開始）又は電源オフ（主電源からの電力供給の停止）を行うことが簡単にできる。すなわち、ユーザ自らが意識して電源スイッチをオフ操作しなくても蓋を閉じるだけで自動的に電子楽器の電源がオフされることから、電源スイッチのオフ操作のし忘れによる電力消費の増大を防止することができ、これにより省エネを図るようにしている。
【特許文献１】実開昭49-103817号公報
【特許文献２】特開平9-101783号公報
【発明の開示】
【発明が解決しようとする課題】
【０００３】
上述したような従来の電子楽器における所定の電源スイッチのオン／オフ操作に従って主電源をオン／オフする、あるいは蓋の開け閉めに応じて主電源を自動的にオン／オフする機能は、電子楽器の多数の機能を実現する全ての機器に対して同時に電力供給を開始／停止するよう制御するものであって、電源オフの場合には全ての機器に対する電力供給が停止してしまうことから、全ての機能が完全に停止していた。そのため、再度所望の機能のみを使用したいような場合であっても、電源スイッチをオン操作して、初めから電子楽器の全ての機能を立ち上げ直さなければならず、こうした操作は面倒であるし再立ち上げには時間がかかる、という問題点があった。また、例えば表示機能や照明機能についてはその機能を一時停止して待機状態（スタンバイ状態）とする一方で、演奏機能についてはその機能を継続使用状態とするなど、多数機能のうちの一部機能のみについて部分的に待機状態にしたり継続使用状態にしたりすることが従来では全くできず非常に使い勝手が悪かった。そこで、これらの点を考慮した、電力消費を抑えながらも使い勝手のよい電子楽器が従来から望まれていた。
【０００４】
本発明は上述の点に鑑みてなされたもので、当該電子楽器が有する多数の機能を実現する各機器に対する主電源からの電力供給の開始／停止を、必要に応じて各機器毎に制御することにより、使い勝手を悪くすることなく電力消費を抑えることのできるようにした電子楽器を提供することを目的とする。
【課題を解決するための手段】
【０００５】
本発明に係る電子楽器は、少なくとも演奏機能を含む多数の機能を搭載する電子楽器であって、電力を供給する主電源と、搭載した全ての機能に対して前記主電源からの電力の供給の開始及び停止を指示する電源スイッチと、前記電子楽器の奏者又は前記電子楽器の所定の操作位置に操作者が存在するか否かを検知する検知手段と、前記検知手段からの検知結果に応じて、前記搭載した全ての機能のうち、その一部の機能に対する前記主電源からの電力供給の制御を行う制御手段とを具える。
【０００６】
本発明によると、当該電子楽器の奏者又は当該電子楽器の所定の操作位置に操作者が存在するか否かの検出結果に応じて、搭載した少なくとも演奏機能を含む全ての機能のうち、その一部の機能に対する主電源からの電力供給の制御を行う。主電源は搭載した全ての機能に対して電力を供給するが、搭載した全ての機能に対して前記主電源からの電力の供給の開始及び停止は電源スイッチの操作に応じて指示される。前記主電源からの電力の供給の開始が指示された後に、現在電子楽器の奏者又は電子楽器の所定の操作位置に操作者が存在するか否かを検出し、その検出結果に応じて全ての機能のうちの一部機能に対する前記主電源からの電力供給を制御する。このようにすると、存在しないと検出した場合には一部機能に対する電力供給を停止すると共に、その後において存在すると検出した場合には前記停止した一部機能に対する電力供給を再開するように前記主電源からの電力供給を制御することによって、一部の機能について機能毎にスタンバイ状態に設定する、あるいはスタンバイ状態から復帰させることができる。このように、一部機能について部分的にスタンバイ状態に設定あるいはスタンバイ状態から復帰させることにより、使い勝手を悪くすることなく電力消費を抑えて省エネを図ることができるようになる。
【発明の効果】
【０００７】
本発明によれば、当該電子楽器が搭載する機能を実現する各機器に対する電源からの電力供給の開始／停止を、必要に応じて各機器毎に部分的に制御することから、使い勝手を悪くすることなく電力消費を抑えて省エネを図ることができるようになる、という効果が得られる。
【発明を実施するための最良の形態】
【０００８】
以下、この発明の実施の形態を添付図面に従って詳細に説明する。
【０００９】
図１は、この発明に係る電子楽器の全体構成の一実施例を示したハード構成ブロック図である。図２は、本発明に係る電子楽器の具体的な外観構成の一実施例を示した外観図である。ただし、ここでは演奏操作子として鍵盤を具えている鍵盤型の電子楽器を例に示している。
【００１０】
図１に示すように、この発明に係る電子楽器は、マイクロプロセッサユニット（ＣＰＵ）１、リードオンリメモリ（ＲＯＭ）２、ランダムアクセスメモリ（ＲＡＭ）３からなるマイクロコンピュータの制御の下に、例えばユーザによる操作に応じて楽音を発生したり自動演奏を行ったりする演奏機能、各種情報を表示装置７ａに表示する表示機能、あるいは演奏操作子６ｃや譜面立て（図２参照）に載せられた紙の楽譜などを照明装置７ｂにより照らす照明機能などの多数の機能を実現するために、当該電子楽器を構成する各種機器に対する制御が実行されるようになっている。また、こうした多数の機能を実現するそれぞれの機器に対しては主電源装置５ａから電力が供給されるようになっており、電力供給が開始されることで各機器は動作可能状態となり、電力供給が停止されることで各機器は動作停止状態となる。この実施例に示す電子楽器では、こうした主電源装置５ａからの当該電子楽器を構成する各機器に対する電力供給を電源コントロール装置５により各機器毎に制御できるようにしたことで、例えば表示機能や照明機能についてはその機能を一時停止させて待機状態（スタンバイ状態）とする一方で、演奏機能についてはその機能を継続使用状態とするなど、多数機能のうちの一部機能のみを部分的に待機状態にしたり継続使用状態にしたりすることができ、これにより使い勝手を悪くすることなく電力消費を抑え省エネを図ることのできるようにしている。
【００１１】
ＣＰＵ１は、この電子楽器全体の動作を制御するものである。このＣＰＵ１に対して、通信バス１Ｄ（例えばデータ及びアドレスバスなど）を介してリードオンリメモリ（ＲＯＭ）２、ランダムアクセスメモリ（ＲＡＭ）３、記憶装置４、電源コントロール装置５、操作子スキャン用インタフェース６、照度コントロール装置７、各種センサ（照度センサＡ（８ａ）、照度センサＢ（８ｂ）、人感センサ８ｃ）、シーケンサ９、音源装置１０、サウンドシステム１１がそれぞれ接続されている。更に、ＣＰＵ１にはタイマ割込み処理（インタラプト処理）における割込み時間や各種時間を計時するタイマ１Ａが接続されている。すなわち、タイマ１Ａは時間間隔を計数したり、自動演奏などの演奏機能を実行する際に用いる演奏テンポを設定したりするためのテンポクロックパルスを発生する。このテンポクロックパルスの周波数は、パネルスイッチＢ群６ｂの中の例えばテンポ設定スイッチ等によって調整される。このようなタイマ１ＡからのテンポクロックパルスはＣＰＵ１に対して処理タイミング命令として与えられたり、あるいはＣＰＵ１に対してインタラプト命令として与えられる。ＣＰＵ１は、これらの命令に従って従来知られた自動演奏処理や楽譜表示処理（図示せず）、あるいは「電源制御処理」（後述する図４参照）等の各種処理を実行する。
【００１２】
ＲＯＭ２は、ＣＰＵ１により実行あるいは参照される各種制御プログラムや各種データなどを格納するものである。ＲＡＭ３は、ＣＰＵ１が所定のプログラムを実行する際に発生する各種データなどを一時的に記憶するワーキングメモリとして、あるいは現在実行中のプログラムやそれに関連するデータを記憶するメモリ等として使用される。ＲＡＭ３の所定のアドレス領域がそれぞれの機能に割り当てられ、レジスタやフラグ、テーブル、メモリなどとして利用される。記憶装置４は、例えば自動演奏される曲の元となる自動演奏データ、表示される楽譜の元となる楽譜データ、あるいはレジストデータ、音色データ、効果データなどの各種データ、更にはＣＰＵ１が実行する各種の制御プログラム等を記憶する。なお、前記ＲＯＭ２に制御プログラムが記憶されていない場合、この記憶装置４に制御プログラムを記憶させておき、それを前記ＲＡＭ３に読み込むことにより、ＲＯＭ２に制御プログラムを記憶している場合と同様の動作をＣＰＵ１に実行させることができる。このようにすると、制御プログラムの追加やバージョンアップ等が容易に行える。なお、記憶装置４はハードディスク（ＨＤ）に限らず、フレキシブルディスク（ＦＤ）、コンパクトディスク（ＣＤ）、光磁気ディスク（ＭＯ）、あるいはＤＶＤ（Digital Versatile Diskの略）等の着脱自在な様々な形態の外部記憶メディアを利用する記憶装置であってもよい。あるいは、半導体メモリなどであってもよい。
【００１３】
主電源装置５ａは、当該電子楽器を構成する各機器それぞれに対して電力を供給する電力供給源である。この主電源装置５ａが具備されていなければ、当該電子楽器が有する全ての機能を動作させることはできない。つまり、主電源装置５ａから当該電子楽器を構成する各機器に対して電力が供給されることで、各機器が動作して各機能を実現することのできるようになっている。この主電源スイッチ５ｂのオン／オフ操作に伴って、当該電子楽器を構成する各機器に対して主電源装置５ａから電力供給が開始されたり、電力供給が停止されたりする。こうした主電源スイッチ５ｂはユーザが直接操作可能なスイッチとして当該電子楽器上面や側面等に配置してあってもよいし、例えば図２に示すようなスライド式の鍵盤上蓋Ｆの押し込みに応じて電源オン、鍵盤上蓋Ｆの引き出しに応じて電源オフすることが可能な位置に配置したものであってもよい。具体的な一例としては、例えばスライド式の鍵盤上蓋Ｆにおいて、鍵盤上蓋Ｆの収納部分に「押し下げオン」型の主電源スイッチ５ｂを配置する。この場合には、ユーザにより鍵盤上蓋Ｆが前記収納部分に押し込まれると、収納完了と共に「押し下げオン」型の主電源スイッチ５ｂが押し込まれるので、自動的に電源オン、つまり主電源装置５ａからの電力供給が開始される。一方、ユーザにより鍵盤上蓋Ｆが前記収納部分から引き出されると、スイッチ自らに具えられた復帰機能により「押し下げオン」型の主電源スイッチ５ｂは復帰することから、自動的に電源オフ、つまり主電源装置５ａからの電力供給が停止される。
【００１４】
この実施例に示す電子楽器においては、こうした主電源装置５ａからの各機器に対する電力供給の開始／停止を全て同時に制御する主電源スイッチ５ｂとは別に、各機器に対する電源供給を各機器毎にコントロールするための電源コントロール装置５を具える。該電源コントロール装置５は、主電源装置５ａからの各機器に対する電力供給を部分的に開始させたり停止させたりするよう制御するためのものである。こうした電源コントロール装置５についての詳細は後述することから、ここでの説明を省略する（図３参照）。
【００１５】
パネルスイッチＡ群６ａ及びパネルスイッチＢ群６ｂは、自動演奏のスタート又はストップを指示する自動演奏開始指示スイッチ・停止指示スイッチ、多数の曲から自動演奏対象とする曲を適宜に選択する曲選択スイッチ、あるいは音色（ボイス）やリズムなどの自動演奏時に用いる各種の演奏制御パラメータを個別に設定するパラメータ入力スイッチ、シーケンス機能を設定するシーケンススイッチ、自動電源制御モード（スタンバイモード）に設定するためのモードスイッチなどの各種の操作子を含んで構成される。勿論、パネルスイッチＡ群６ａ及びパネルスイッチＢ群６ｂとしては上記した以外にも、音高、音色、効果等を選択・設定・制御するために用いる数値データ入力用のテンキーや文字データ入力用のキーボード、あるいは操作量に応じたピッチベンド値を設定することのできるピッチベンドホイールやスライダーなどの各種操作子を含んでいてよい。こうしたパネルスイッチは、主電源スイッチ５ｂがオン状態である場合に常時主電源装置５ａから電力供給されるパネルスイッチＡ群６ａと、条件に応じて主電源装置５ａからの電力供給が一時停止されるパネルスイッチＢ群６ｂとに分けることができる。パネルスイッチＡ群６ａ及びパネルスイッチＢ群６ｂの各スイッチの操作状態が操作子スキャン用インタフェース６により検出されると、その操作状態に応じたスイッチ情報が通信バス１Ｄを介してＣＰＵ１や電源コントロール装置５ｂに対して出力される。すなわち、パネルスイッチＡ群６ａは主電源スイッチ５ｂがオン状態であれば常時操作子スキャン用インタフェース６により操作子スキャンがなされ、操作に応じた制御が行われる操作子群である。他方、パネルスイッチＢ群６ｂは主電源スイッチ５ｂがオン状態であっても条件によって操作子スキャン用インタフェース６による操作子スキャンがなされず、操作に応じた制御が行われることのない操作子群である。演奏操作子６ｃは楽音の音高を選択するための複数の鍵を備えた例えば鍵盤等あるいはペダルのようなものであり、各鍵に対応してキースイッチを有しており、この演奏操作子６ｃ（鍵盤等）はユーザによるマニュアル（手弾き）演奏のために使用できるのは勿論のこと、当該装置における各種の機器設定や自動演奏の際に用いられる各種の演奏制御パラメータなどを入力するための入力手段として使用することもできる。
【００１６】
表示装置７ａは例えばバックライトを具備した液晶表示パネル（ＬＣＤ）等から構成されるディスプレイであって、現在の機器設定状態、自動演奏可能な自動演奏データなどのデータ情報、演奏制御パラメータの現在の設定状態、あるいはＣＰＵ１の制御状態などを表示する。照明装置７ｂは、譜面立て（後述の図２参照）に立てられた楽譜や演奏操作子（鍵盤等）６ｃを照らすための例えば卓上型の照明器などである。照度コントロール装置７は表示装置７ａのバックライトや照明装置７ｂからの照度（あるいは光度とも呼ぶ）を適宜に調整するための装置であって、照度センサＡ（８ａ）及び照度センサＢ（８ｂ）の測定結果に応じた明るさに調整する。照度センサＡ（８ａ）は照明装置７ｂからの光による影響を受けないように照明装置７ｂから発せられた光の届かない範囲内の所定位置に配置されており（図２参照）、当該電子楽器の置かれている状態として、例えば部屋の明るさなどを測定することのできるようにしたセンサである。照度センサＢ（８ｂ）は照明装置７ｂから発せられた光により照らされる範囲内の所定位置に配置されており（図２参照）、照明装置７ｂの照度を適切に測定することのできるようにしたセンサである。また、こうしたセンサの他に人感センサ８ｃが当該電子楽器手前側（演奏又は操作者側）の適宜の位置に配置されており、この人感センサ８ｃは当該電子楽器の周辺の所定位置（例えば正面など）に演奏者（又は操作者）が存在しているか否かを感知する例えば赤外線センサなどのセンサである。
【００１７】
シーケンサ９は、自動演奏の元となる演奏情報を発生又は記録するためのものである。音源装置１０は複数のチャンネルで楽音信号の同時発生が可能であり、通信バス１Ｄを経由して与えられたユーザによる演奏操作子６ｃの操作に応じて発生された演奏情報、又はシーケンサ９から発生された演奏情報を入力し、これらに基づいて楽音信号を発生する。音源装置１０から発生された楽音信号は所定のディジタル信号処理が施され、該信号処理された楽音信号はアンプやスピーカなどを含むサウンドシステム１１に与えられて発音される。なお、効果回路（図示せず）を音源装置１０とサウンドシステム１１との間に配置して前記音源装置１０から発生された楽音信号に対して各種効果を与えるようにしてもよい。前記音源装置１０とサウンドシステム１１（更に効果回路）の構成には、従来のいかなる構成を用いてもよい。例えば、音源装置１０はFM、PCM、物理モデル、フォルマント合成等の各種楽音合成方式のいずれを採用してもよく、また専用のハードウェアで構成してもよいし、ＣＰＵ１によるソフトウェア処理で構成してもよい。
【００１８】
なお、主電源スイッチ５ｂは上述したものに限らず、例えば鍵盤上蓋Ｆの自重により自動的に電源オン／オフするようなものであってもよい。具体的な一例を挙げるとすると、例えば鍵盤上蓋Ｆを閉じた際に、その先端部分が着地する地点である電子楽器本体側に「押し下げオフ」型の主電源スイッチ５ｂを配置する。この場合には、ユーザにより鍵盤上蓋Ｆが閉じられると、鍵盤上蓋Ｆの自重により「押し下げオフ」型の主電源スイッチ５ｂが下がるので、自動的に電源オフされて主電源装置５ａからの電力供給が停止される。一方、ユーザにより鍵盤上蓋Ｆが開けられると、スイッチ自らに具えられた復帰機能により「押し下げオフ」型の主電源スイッチ５ｂは復帰することから、自動的に電源オンされ主電源装置５ａからの電力供給が開始される。
なお、上述した電子楽器において、演奏操作子６ｃは鍵盤楽器の形態に限らず、弦楽器や管楽器、あるいは打楽器等どのようなタイプの形態でもよい。
なお、本発明に係る電子楽器は各機器を１つの電子楽器本体に内蔵したものに限らず、それぞれが別々に構成され、外部インタフェースや各種ネットワーク等の通信手段を用いて各機器を接続するように構成されたものであってもよい。
【００１９】
次に、電源コントロール装置５による当該電子楽器を構成する各機器に対する主電源装置５ａからの電力供給の制御について、図３を用いて簡単に説明する。図３は、電源コントロール装置５による電力供給制御の一例を示すブロック図である。以下、図３に示したブロック図に従って、当該電子楽器を構成する各機器に対する主電源装置５ａからの電力供給の制御について説明する。ここでは、電力供給制御される対象として、当該電子楽器を構成する各機器を４つ制御ブロックＢ１〜Ｂ４のいずれかに分けた。なお、この図３において供給スイッチＡ（ＳＷ１）及び供給スイッチＢ（ＳＷ２）は電子楽器上に実際に配置されている主電源スイッチ５ｂやパネルスイッチＡ又はＢ群（６ａ、６ｂ）などのハード的に構成されているスイッチではなく、電源コントロール装置５により仮想的に電力供給をオン／オフするよう制御されることを表す仮想的なスイッチである。
【００２０】
まず、ユーザ（演奏者又は操作者）により当該電子楽器の鍵盤上蓋Ｆがスライドされて開かれると、鍵盤上蓋Ｆの最終的な押し込み動作に応じて主電源スイッチ５ｂがオンされる。すると、主電源装置５ａの電源オンが電源コントロール装置５に通知され、それに応じて電源コントロール装置５では供給スイッチＡ（ＳＷ１）及び供給スイッチＢ（ＳＷ２）を共にオンし、主電源装置５ａから供給された電力を制御ブロックＢ１〜制御ブロックＢ４に含まれる当該電子楽器を構成する各機器及び記憶装置４に対してそれぞれ供給するように制御する。また、これとは別に主電源装置５ａから直接ＣＰＵ１等の制御機器に対しても電力が供給される。これにより、電子楽器を構成する各機器により実現される全ての機能がいつでも動作開始可能な状態となる。常時電力が供給されている制御ブロックＢ３に含まれる演奏操作子６ｃあるいはパネルスイッチＡ群６ａがユーザにより操作されるたびに、電源コントロール装置５に対してどの操作子が操作されたかが通知される。
【００２１】
こうした制御ブロックＢ３に含まれる各機器からの通知が一定時間の間（例えば３分間）ない場合、つまり一定時間の間に演奏操作子６ｃあるいはパネルスイッチＡ群６ａが操作されていない場合には、電源コントロール装置５は供給スイッチＡ（ＳＷ１）及び供給スイッチＢ（ＳＷ２）を共にオフする。これにより、制御ブロックＢ３を除く各制御ブロックＢ１、Ｂ２、Ｂ４に含まれる各機器に対しては主電源装置５ａからの電力供給が行われず、これらの各機器はスタンバイ状態として当該機器により実現される機能を一時停止して待機状態とする。すなわち、スタンバイ状態にある場合には、各制御ブロックＢ１、Ｂ２、Ｂ４に含まれる各機器がユーザにより操作されたとしても、操作に応じて各機能を実現するための動作が行われない。このようなスタンバイ状態にある場合に、常時主電源装置５ａから電力供給が行われている制御ブロックＢ３に含まれる演奏操作子６ｃあるいはパネルスイッチＡ群６ａが新たにユーザにより操作されると、電源コントロール装置５は供給スイッチＡ（ＳＷ１）及び供給スイッチＢ（ＳＷ２）を共にオンにする。これにより、各制御ブロックＢ１、Ｂ２、Ｂ４に含まれる各機器がスタンバイ状態から復帰し、操作に応じて各機能を実現するための動作が行われる。つまり、当該電子楽器の全ての機能を利用することのできる状態に戻る。
【００２２】
また、常時主電源装置５ａから電力供給がなされている制御ブロックＢ３に含まれる人感センサ８ｃは当該電子楽器を利用しようとするユーザ（演奏者又は操作者）が存在するか否かを所定時間毎に定期的にチェックしており、ユーザが存在している場合にはその旨を電源コントロール装置５に対して通知する。こうした通知が一定時間の間（例えば３分間）ない場合、つまり一定時間以上の間に当該電子楽器利用しようとするユーザが存在していないような場合には、電源コントロールスイッチ５は供給スイッチＡ（ＳＷ１）及び供給スイッチＢ（ＳＷ２）を共にオフする。これにより、上記した制御ブロックＢ３に含まれる各機器からの通知が一定時間の間（例えば３分間）ない場合と同様にして、制御ブロックＢ３を除く各制御ブロックＢ１、Ｂ２、Ｂ４に含まれる各機器に対しては電力供給が行われず、これらの各機器はスタンバイ状態となる。電力供給が行われている制御ブロックＢ３に含まれる人感センサが新たに演奏者（又は操作者）の存在を検知すると、電源コントロール装置５は供給スイッチＡ（ＳＷ１）及び供給スイッチＢ（ＳＷ２）を共にオンにする。これにより、スタンバイ状態から復帰して、当該電子楽器の全ての機能を利用することのできる状態に戻る。
【００２３】
制御ブロックＢ１に含まれるシーケンサ９は、その有する機能である自動演奏に関する現在の動作状況を電源コントロール装置５に通知する。こうしたシーケンサ９から通知される自動演奏の動作状況としてその動作が停止されていることが通知されており、かつ上記制御ブロックＢ３に含まれる演奏操作子６ｃあるいはパネルスイッチＡ群６ａが操作されていない場合には、電源コントロール装置５は供給スイッチＡ（ＳＷ１）及び供給スイッチＢ（ＳＷ２）を共にオフする。これにより、制御ブロックＢ３を除く各制御ブロックＢ１、Ｂ２、Ｂ４に含まれる各機器に対しては主電源装置５ａからの電力供給が行われず、これらの各機器はスタンバイ状態として当該機器により実現される機能を一時停止して待機状態とする。すなわち、シーケンサ９もスタンバイ状態となり、ユーザにより操作されたとしても操作に応じて自動演奏に関する機能を実現するための動作が行われない。スタンバイ状態にある場合に、常時主電源装置５ａから電力供給が行われている制御ブロックＢ３に含まれる演奏操作子６ｃあるいはパネルスイッチＡ群６ａが新たにユーザにより操作されると、電源コントロール装置５は供給スイッチＡ（ＳＷ１）及び供給スイッチＢ（ＳＷ２）を共にオンにする。これにより、シーケンサ９もスタンバイ状態から復帰し、操作に応じて自動演奏に関する機能を実現するための動作が行われる。
【００２４】
制御ブロックＢ４に含まれる照度センサＡ（８ａ）及び照度センサＢ（８ｂ）はそれぞれが定期的に（例えば１秒に１回）部屋の明るさの状況や照明装置７ｂからの照度（あるいは光度とも呼ぶ）などをセンシングしており、それぞれがセンシングした結果として明るさや照度などを照度コントロール装置７に通知する。照度コントロール装置７では、照度センサＡ（８ａ）又は／及び照度センサＢ（８ｂ）からの通知を元にして、表示装置７ａのバックライトや照明装置７ｂの照度を調整する。このようにして、周りの環境にあわせてユーザが最も見やすい明るさとなるように、表示装置７ａのバックライトや照明装置７ｂの照度を自動的に調整することができる。上述したように、こうした制御ブロックＢ４に含まれる照度コントロール装置７、照度センサＡ（８ａ）、照度センサＢ（８ｂ）についても、制御ブロックＢ３に含まれる各機器からの通知が一定時間の間ない場合にはスタンバイ状態とされる。つまり、消灯される。
【００２５】
ユーザにより鍵盤上蓋Ｆがスライドされて閉じられると、主電源スイッチ５ｂがオフされる。主電源装置５ａの電源がオフされると、電源コントロール装置５に対して電力供給が全くなされなくなり、それに伴い制御ブロックＢ１〜制御ブロックＢ４に含まれる各機器の全てに対しても電力供給がなされなくなる。勿論、ＣＰＵ１や記憶装置４に対しても主電源装置５ａから電力供給がなされない。これにより、電子楽器の機能は全て停止状態となる。
【００２６】
なお、上述した実施例においては供給スイッチＡ（ＳＷ１）により、制御ブロックＢ１及び制御ブロックＢ２に含まれる各機能に対して電力供給を停止するようにしたがこれに限らず、制御ブロックＢ１に含まれる機能に対しては電力供給を続ける一方で、制御ブロックＢ２に含まれる機能に対しては電力供給を停止するようにしてもよい。こうした場合には、照明が落とされるのみで、自動演奏などの処理は引き続き実行されることになる。また、電力供給を停止する対象を適宜にユーザが選択できるようにし、該選択に従って電力供給を停止することができるようにしてもよい。
なお、各機器のスタンバイ状態への設定又はスタンバイ状態からの復帰は、上記制御ブロックＢ３に含まれる演奏操作子６ｃあるいはパネルスイッチＡ群６ａのいずれかが操作されているかいないかの一方の通知によるだけでなく、演奏操作子６ｃ及びパネルスイッチＡ群６ａの両方からの通知を元に決定するようにしてあってもよい。
なお、各機器のスタンバイ状態への設定時においては記憶装置４に対してスタンバイ設定時の機器状態を保存し、スタンバイ状態からの復帰時においては記憶装置４に記憶したスタンバイ設定時の機器状態を読み出すことによって、各機器がスタンバイ状態に設定される直前の状態に復元されることは言うまでもない。
なお、スタンバイ状態となった場合には、演奏操作子の操作のスキャンの頻度を落としたり、あるいは停止するようにしてもよい。
【００２７】
次に、図１に示した電子楽器で実行する「電源制御処理」について、図４を用いて説明する。図４は、「電源制御処理」の一実施例を示すフローチャートである。この実施例に示す「電源制御処理」は、当該電子楽器を構成する各機器（上記した制御ブロックＢ１〜Ｂ４に含まれる各機器）それぞれに対して主電源装置５ａからの電力供給制御を行うことによって、各機器におけるスタンバイ状態への設定及びスタンバイ状態からの復帰を行うようにしたものである。以下、図４に示したフローチャートに従って、当該「電源制御処理」の詳細な動作を説明する。この「電源制御処理」は電源コントロール装置５により実行されるものであって、当該電子楽器の主電源スイッチ５ｂがオンされるのと同時に処理が開始され、当該電子楽器の主電源スイッチ５ｂがオフされるまで所定の時間間隔で割り込み処理として繰り返し実行される処理である。
【００２８】
ステップＳ１では、予めユーザにより機器設定として「自動電源制御モード（スタンバイモード）」に設定されているか否かを判定する。ユーザによるモードスイッチの操作により「自動電源制御モード」に設定済みである場合には（ステップＳ１のＹＥＳ）、人感センサ８ｃから人が存在することに関する検知情報、又は演奏操作子６ｃ及びパネルスイッチＡ群（６ａ）のいずれかがユーザにより操作されたことに関する検知情報を取得して、当該電子楽器の前に現在人が存在しているか否か、あるいは演奏操作子６ｃ及びパネルスイッチＡ群（６ａ）のいずれかがユーザにより操作されたか否かを判定する（ステップＳ２）。当該電子楽器の前に現在人が存在している、あるいは演奏操作子６ｃ及びパネルスイッチＡ群（６ａ）のいずれかがユーザにより操作されたと判定した場合には（ステップＳ２のＹＥＳ）、変数タイマ値Ｔ１に対しては時間を加算すると共に、変数タイマ値Ｔ２をクリアする（ステップＳ３）。このタイマ値Ｔ１は、当該電子楽器の前に人がいる時間を計測するためのものである。他方、タイマ値Ｔ２は、当該電子楽器の前に人がいない時間、あるいは演奏操作子６ｃ及びパネルスイッチＡ群（６ａ）のいずれかが最後にユーザにより操作されてからの時間を計測するためのものである。
【００２９】
ステップＳ４では、前記タイマ値Ｔ１が予め決められた時間長Ｔｘ（ユーザが適宜に決めた時間長あるいはデフォルトで決めてある時間長であり、例えば３秒）以上であるか否かを判定する。タイマ値Ｔ１が時間長Ｔｘ以上でない場合には（ステップＳ４のＮＯ）、当該処理を終了する。タイマ値Ｔ１が時間長Ｔｘ以上である場合には（ステップＳ４のＹＥＳ）、照度センサＡ（８ａ）の値が予め決められた基準値以下であるか否かを判定する（ステップＳ５）。照度センサＡ（８ａ）の値が基準値以下でない場合には（ステップＳ５のＮＯ）、ステップＳ８の処理へジャンプする。一方、照度センサＡ（８ａ）の値が基準値以下である場合には（ステップＳ５のＹＥＳ）、照度センサＡ（８ａ）及び照度センサＢ（８ｂ）の出力値から適正照度とする出力値を算出し（ステップＳ６）、該算出した出力値に基づき表示装置７ａのバックライトや照明装置７ｂの照度を制御するよう、照度コントロール装置７に対して要求する（ステップＳ７）。例えば、照度コントロール装置７は、算出した出力値と現在の照度の差を計算し、一定の時間を経て算出した照度に段階的に照度を変更していく、あるいは一定の時間間隔毎に一定の値ずつ照度を変更していき、目標とする照度に到達するように変更するなどして、表示装置７ａのバックライトや照明装置７ｂの照度を制御する。ステップＳ８では、前記ステップＳ７でオンした照明機能以外のその他の全機能をオンにする。例えば主電源装置５ａからの電力供給を開始して、人感センサ８ｃ、演奏操作子６ｃ、パネルスイッチＡ群（６ａ）を含む制御ブロックＢ３以外の各制御ブロックＢ１、Ｂ２、Ｂ４（図３参照）に含まれる各機器の機能をオン、つまりスタンバイ状態から復帰させる。または、オンの状態をそのまま維持する。
【００３０】
上記ステップＳ２において、当該電子楽器の前に現在人が存在していない、あるいは演奏操作子６ｃ及びパネルスイッチＡ群（６ａ）のいずれかがユーザにより操作されていないと判定した場合、つまり当該電子楽器が使用されていない場合には（ステップＳ２のＮＯ）、変数タイマ値Ｔ２に対して時間を加算すると共に、変数タイマ値Ｔ１をクリアする（ステップＳ９）。ステップＳ１０では、前記タイマ値Ｔ２が予め決められた時間長Ｔｙ（例えば３分）以上であるか否かを判定する。タイマ値Ｔ２が時間長Ｔｙ以上でない場合には（ステップＳ１０のＮＯ）、当該処理を終了する。タイマ値Ｔ２が時間長Ｔｙ以上である場合には（ステップＳ１０のＹＥＳ）、人感センサ８ｃ、演奏操作子６ｃ、パネルスイッチＡ群（６ａ）を含む制御ブロックＢ３以外の各制御ブロックＢ１、Ｂ２、Ｂ４（図３参照）に含まれる各機器の機能をオフにする（ステップＳ１１）。すなわち、主電源装置５ａからの電力供給を停止して、スタンバイ状態に設定する。
【００３１】
このように、ここに示す電子楽器においては、主電源スイッチ５ｂとは別に当該電子楽器を構成する各機器に対して個別に電力供給をコントロールするための電源コントロール装置５を具備している。この電源コントロール装置５は人感センサ８ｃ、演奏操作子６ｃ、パネルスイッチＡ群（６ａ）を含む制御ブロックＢ３（図３参照）からの検知情報に応じてリセットされるタイマ機能を持ち、該タイマが一定時間となった場合には部分的な機能の電力供給を停止することにより制御ブロックＢ３以外の制御ブロックＢ１、Ｂ２、Ｂ４に含まれる各機器をスタンバイ状態に設定する。そして、前記制御ブロックＢ３から、ユーザが該電子楽器前に存在すること、あるいは演奏操作子６ｃやパネルスイッチＡ群（６ａ）が操作されたことを検知すると、電力供給を開始して、スタンバイ状態から復帰させることができるようにしている。
【００３２】
なお、上述した実施例においては、主電源装置５ａからの当該電子楽器を構成する各機器に対する電力供給の制御（詳しくは電源制御処理）をＣＰＵ１とは別に構成された電源コントロール装置５により実行するようにしたものを示したがこれに限らない。例えば、ＣＰＵ１が電源制御処理を実行することにより、ＣＰＵ１により各機器に対する電力供給の制御が行われるようにしてもよい。こうした場合には、記憶装置４を含むＣＰＵ１以外の各機器の全てをスタンバイ状態に設定することができ、より省エネを図ることができるようになることから有利である。
なお、自動演奏機能の状況に応じて各機器をスタンバイ状態に設定するようにしてもよい。例えば、シーケンサ９は自動演奏の状況を電源コントロール装置５に対して通知しており、電源コントロール装置５では一定時間以上、人感センサ８ｃ、演奏操作子６ｃ、パネルスイッチＡ群（６ａ）を含む制御ブロックＢ３（図３参照）から、ユーザが該電子楽器前に存在すること、あるいは演奏操作子６ｃやパネルスイッチＡ群（６ａ）が操作されたことを検知することがなく、かつシーケンサ９が自動演奏を行っていない場合に、制御ブロックＢ３以外の各制御ブロックＢ１、Ｂ２、Ｂ４に含まれる各機器をスタンバイ状態に設定する。
なお、人の検知とともに該電子楽器周辺の明るさなどを検知し、この両者の結果に応じて、各機器をスタンバイ状態に設定する、あるいはスタンバイ状態を解除するようにしてよい。
なお、自動演奏をしている際に人を検知していない状態となった場合、ユーザは現在の自動演奏をＢＧＭなどとして離れた位置（検知できない位置）で引き続き楽しんでいることも考えられることから、こうした場合には人感センサと自動演奏に関連する以外の装置、例えば照明装置や演奏操作子などについて電源をオフするように制御できるようにしてもよい。
【図面の簡単な説明】
【００３３】
【図１】この発明に係る電子楽器の全体構成の一実施例を示したハード構成ブロック図である。
【図２】本発明に係る電子楽器の具体的な外観構成の一実施例を示した外観図である。
【図３】電源コントロール装置による電力供給制御の一例を示すブロック図である。
【図４】電源制御処理の一実施例を示すフローチャートである。
【符号の説明】
【００３４】
１…ＣＰＵ、１Ａ…タイマ、２…ＲＯＭ、３…ＲＡＭ、４・・・記憶装置、５…電源コントロール装置、５ａ…主電源装置、５ｂ…主電源スイッチ、６…操作子スキャン用インタフェース、６ａ…パネルスイッチＡ群、６ｂ…パネルスイッチＢ群、６ｃ…演奏操作子、７…照度コントロール装置、７ａ…表示装置、７ｂ…照明装置、８ａ…照度センサＡ、８ｂ…照度センサＢ、８ｃ…人感センサ、９…シーケンサ、１０…音源装置、１１…サウンドシステム、１Ｄ…通信バス、Ｂ１〜Ｂ４…制御ブロック、Ｆ…鍵盤上蓋、ＳＷ１…供給スイッチＡ、ＳＷ２…供給スイッチＢ
【図１】
2006091306.tif 000003
【図２】
2006091306.tif 000004
【図３】
2006091306.tif 000005
【図４】
2006091306.tif 000006